(57)【要約】      （修正有）【課題】夏期等におけるペットハウス内の昇温を防止してペットの居住環境を良好に維持する。【解決手段】断熱性の壁材により周面が閉塞されかつ一側面に出入口３を有するハウス１を設け、該ハウス１の屋根側の略全面に開閉可能な収容室１３を設けるとともに、該収容室１３の底部にハウス本体の内部と連通する通気孔６を設け、前記収容室１３に蓄冷材１５を収容してハウス内に冷気を効率よく循環させ、該ハウス内の昇温を防止する。【選択図】図２
2005118012.tif 000002
【特許請求の範囲】
【請求項１】
断熱性の壁材により周面が閉塞されかつ一側面に出入口（３）を有するハウス（１）を設け、該ハウス（１）の屋根（１０）側の略全面に開閉可能な収容室（１３）を設けるとともに、該収容室（１３）の底部にハウス本体（２）の内部と連通する通気孔（６）を設け、前記収容室（１３）に蓄冷材（１５）を収容したことを特徴とするペットハウス。
【請求項２】
ハウスの屋根（１０）をハウス本体（２）部に回動可能に設け、該屋根（１０）を回動させることによって収容室（１３）の上面を開閉可能としたことを特徴とする請求項１記載のペットハウス。
【発明の詳細な説明】
【技術分野】
【０００１】
本発明は、夏期等におけるペットハウス内の昇温を防止することにより、ペットの居住環境を良好に維持するペットハウスに関するものである。。
【背景技術】
【０００２】
従来の技術として、ペットハウスの床を上板及び下板からなる中空の二重構造とし、この二重構造にした床の空間部に引出しを抜き差し可能に設け、該引出し内に冷却パッドを収容するようにしたペットハウスがあった。
【特許文献１】実開平５−９１３０９号公報
【発明の開示】
【発明が解決しようとする課題】
【０００３】
上記従来のものは、ハウスの床を冷却するようにしていたので、ハウス内の熱気を解消することができ難いものであった。また、冷却パッドがハウスの床側に位置するため、雨水、ペットの排尿等が侵入し易く、冷却パッドが汚染され易くなるものであった。本発明は、蓄冷材を屋根側に配置することにより、上記不具合を解消した新規なペットハウスを得ることを目的とする。
【課題を解決するための手段】
【０００４】
本発明は上記目的を達成するために、以下の如く構成したものである。即ち、請求項１に係る発明は、断熱性の壁材により周面が閉塞されかつ一側面に出入口を有するハウスを設け、該ハウスの屋根側の略全面に開閉可能な収容室を設けるとともに、前記収容室の底部にハウス本体の内部と連通する通気孔を設け、前記収容室に蓄冷材を収容する構成にしたものである。
請求項２に係る発明は、前記屋根をハウス本体部に回動可能に設け、該屋根を回動させることによって収容室の上面を開閉可能としたものである。
【発明の効果】
【０００５】
本発明の請求項１に係る発明は、蓄冷材により冷却された冷気が収容室の底部に形成した通気孔からハウス室内に流下し、また、ハウス室内の熱気は上記通気孔から収容室内に流入して蓄冷材によって冷却されることになる。このため、ハウス室内に冷気を効率よく循環させることができる。しかも、蓄冷材がハウスの屋根側に位置するので、雨水、ペットの排尿等が侵入しなくなる。また、請求項２に係る発明は、屋根を回動させることによって収容室の上面が大きく開かれ、収容室内への蓄冷材の収容・交換作業が容易となる。
【発明を実施するための最良の形態】
【０００６】
以下本発明を図に基づいて説明する。図において、図１は本発明の第１実施例を示す側面断面図、図２は図１のII-II線による断面図、図３は本発明の第２実施例を示す図２相当の断面図、図４はペットハウス内の温度変化特性図である。
【０００７】
図１、図２において、１は主として家屋内で飼う小犬、猫等、小動物用のペットハウスであり、該ペットハウス１は家屋内に設置され、ペットを自動車で同行させる場合は該ペットハウス１を自動車内に設置する。２はハウス本体、１０はその屋根である。ハウス本体２は上面が開口した箱状に形成され、正面側に出入口３を有する。該ハウス本体２は、プラスチック板あるいは金属板等、強度の高い外壁２ａの内面に、発泡プラスチックあるいはシート等、断熱性のある内壁２ｂを固着した二重構造とし、床面は木製板からなる床板２ｃが固着されている。
【０００８】
上記ハウス本体２の上面部に棚５を渡架する。この棚５は前後の幅をハウス本体２の前後幅に対応する幅とし、左右幅は図２に示すようにハウス本体２の左右幅よりも若干小幅にし、これによりハウス本体２の左右両側に上下に連通する通気孔６を形成する。なお、上棚５は、多数の小孔（通気孔）を有する多孔板によりハウス本体２の上面全面を覆うようにしてもよい。そして、上記棚５の上面に吸水シート７を敷く。
【０００９】
上記ハウス本体２の上部に屋根１０を開閉可能に連結する。該屋根１０は浅い倒立容器状に形成するとともに、その下端部を上記ハウス本体２の上部に密接に嵌合できるようにし、図２に示すように、その一側部で蝶番１１によりハウス本体２に回動可能に連結し、閉じた際に棚５の上部に所定容積の収容室１３が形成できるようにする。この屋根１０もハウス本体２と同様にプラスチック板あるいは金属板等、強度の高い外壁１０ａの内面に、発泡プラスチックあるいはシート等、断熱性のある内壁１０ｂを固着した二重構造とする。１２は屋根１０を開閉する操作用の把手である。
【００１０】
上記棚５の上面に吸水シート７を介して偏平な蓄冷材１５を載置する。この蓄冷材１５は、例えば塩化ナトリウムの水溶液を樹脂性パックに充填してなり、該蓄冷材１５を約−１６℃まで冷却して上記棚５上面の略全面に載置する。
【００１１】
図３は第２実施例を示す。図３において、２−１はハウス本体であり、前述と略同様の構造となっている。該ハウス本体２−１の前後壁の上部に前後一対のブラケット８，８を上方に向けて突出固定し、各ブラケット８，８の上部に棚５−１を渡架する。この棚５−１は前後の幅をハウス本体２−１の前後幅に対応する幅に、左右幅はハウス本体２−２の左右幅よりも若干小幅に形成し、該棚５−１上面の略全面に吸水シート７を介して前述と同様の蓄冷材１５を載置する。
【００１２】
上記ハウス本体２−２の上部に屋根１０−１を開閉可能に連結する。該屋根１０−１は断面円弧状に形成するとともに、その下端部を上記ハウス本体２−２の上部に密接に嵌合できるようにし、その一側部で蝶番１１によりハウス本体２−２に回動可能に連結し、閉じた際に上記棚５−１の上部に所定容積の収容室１３が、また、該収容室１３の左右両側に上下に連通する通気孔６が形成できるようにする。その他は前述した第１実施例と略同様の構造となっている。なお、上記通気孔６はスライド板等によりその開口量が調節できるようにし、通気孔６の開口量をペットハウス１を取り巻く周囲の温度に対応させて調節できるようにしてもよい。
【００１３】
上記実施例によれば、屋根１０（１０−１）を閉じると、出入口３を除き、ハウス室内４が断熱性の周壁により密閉状となる。そして、蓄冷材１５により冷却された冷気（ア）が収容室１３の底部に形成した通気孔６からハウス室内４に流下し、また、ハウス室内４の熱気（イ）は上記通気孔６から収容室１３内に流入して蓄冷材１５によって冷却されることになる。このため、ハウス室内４に冷気を効率よく循環させることになり、ハウス室内４のペット１６の居住環境を良好に維持することができる。
【００１４】
また、蓄冷材１５が屋根１０側に位置するので、雨水、ペットの排尿等が侵入しなくなるとともに、屋根１０（１０−１）を回動させて収容室１３の上面を開くようにしたので、該収容室１３内への蓄冷材１５の収容・交換が容易に行えることになる。
【００１５】
図４は本実施例の実験データを示し、特性線Ａは家屋内の温度変化を示し、特性線Ｂはペットハウス内の温度変化を示し、Ｃはペット（ミニチュアダックスフンド）１６がペットハウス１内に入っていた時間を示す。図４によれば、家屋内の温度が約３０℃〜３７℃の範囲で変化するのに対し、ペットハウス内の温度は約２５℃〜３０℃となり、ペット１６の居住環境が良好になることがわかる。
【図面の簡単な説明】
【００１６】
【図１】本発明の第１実施例を示す側面断面図である。
【図２】図１のII-II線による断面図である。
【図３】本発明の第２実施例を示す図２相当の断面図である。
【図４】ペットハウス内の温度変化特性図である。
【符号の説明】
【００１７】
１    ペットハウス
２    ハウス本体
２ａ  外壁
２ｂ  内壁
２ｃ  床板
３    出入口
４    室内
５（５−１）  棚
６    通気孔
７    給水シート
８    ブラケット
１０    屋根
１０ａ  外壁
１０ｂ  内壁
１１    蝶番
１２    把手
１３    収容室
１５    蓄冷材
１６    ペット
【図１】
2005118012.tif 000003
【図２】
2005118012.tif 000004
【図３】
2005118012.tif 000005
【図４】
2005118012.tif 000006